(57)【特許請求の範囲】
【請求項１】
端末の情報伝送方法において、
絶対時間情報、区間情報及び周期情報を含む測定設定情報を取得する段階と、
前記測定設定情報に基づいた測定記録情報を有していれば、それに対する指示子を基地局に伝送する段階と、
前記基地局から、ｒａｄｉｏ  ｌｉｎｋ  ｆａｉｌｕｒｅ（ＲＬＦ）報告要請及び測定記録情報要請のうちの少なくとも１つを含む端末情報要請を受信する段階と、
前記端末情報要請に対応して、前記測定記録情報及びＲＬＦ情報のうちの少なくとも１つを含む応答メッセージを前記基地局に伝送する段階と、
を含み、
前記応答メッセージに前記測定記録情報が含まれる場合、前記応答メッセージは、ｓｉｇｎａｌｉｎｇ  ｒａｄｉｏ  ｂｅａｒｅｒ  ２（ＳＲＢ２）を通じて伝送されることを特徴とする方法。
【請求項２】
前記応答メッセージが前記測定記録情報を含まない場合、前記応答メッセージをｓｉｇｎａｌｉｎｇ  ｒａｄｉｏ  ｂｅａｒｅｒ  １（ＳＲＢ１）を通じて伝送する段階をさらに含むことを特徴とする請求項１に記載の方法。
【請求項３】
前記端末情報要請を受信する段階は、前記基地局と、ｒａｄｉｏ  ｒｅｓｏｕｒｃｅ  ｃｏｎｔｒｏｌ（ＲＲＣ）連結とを樹立する段階を含むことを特徴とする請求項１に記載の方法。
【請求項４】
基地局の情報受信方法において、
端末に、絶対時間情報、区間情報及び周期情報を含む測定設定情報を伝送する段階と、
端末が測定設定情報に基づいた測定記録情報を有している指示子を受信する段階と、
前記端末に、ｒａｄｉｏ  ｌｉｎｋ  ｆａｉｌｕｒｅ（ＲＬＦ）報告要請及び測定記録情報要請のうちの少なくとも１つを含む端末情報要請を伝送する段階と、
前記端末情報要請に対応して、前記測定記録情報及びＲＬＦ情報のうちの少なくとも１つを含む応答メッセージを前記端末から受信する段階と、
を含み、
前記応答メッセージに前記測定記録情報が含まれる場合、前記応答メッセージは、ｓｉｇｎａｌｉｎｇ  ｒａｄｉｏ  ｂｅａｒｅｒ  ２（ＳＲＢ２）を通じて受信されることを特徴とする方法。
【請求項５】
前記応答メッセージが前記測定記録情報を含まない場合、前記応答メッセージをｓｉｇｎａｌｉｎｇ  ｒａｄｉｏ  ｂｅａｒｅｒ  １（ＳＲＢ１）を通じて受信する段階をさらに含むことを特徴とする請求項４に記載の方法。
【請求項６】
前記端末情報要請を伝送する段階は、前記基地局と、ｒａｄｉｏ  ｒｅｓｏｕｒｃｅ  ｃｏｎｔｒｏｌ（ＲＲＣ）連結とを樹立する段階を含むことを特徴とする請求項４に記載の方法。
【請求項７】
端末の情報伝送装置において、
基地局と通信する送受信部と、
絶対時間情報、区間情報及び周期情報を含む測定設定情報を取得して、前記測定設定情報に基づいた測定記録情報を有していれば、それに対する指示子を基地局に伝送し、前記基地局から、ｒａｄｉｏ  ｌｉｎｋ  ｆａｉｌｕｒｅ（ＲＬＦ）報告要請及び測定記録情報要請のうちの少なくとも１つを含む端末情報要請を受信し、前記端末情報要請に対応して、前記測定記録情報及びＲＬＦ情報のうちの少なくとも１つを含む応答メッセージを前記基地局に伝送する制御部と、
を含み、
前記応答メッセージに前記測定記録情報が含まれる場合、前記応答メッセージは、ｓｉｇｎａｌｉｎｇ  ｒａｄｉｏ  ｂｅａｒｅｒ  ２（ＳＲＢ２）を通じて伝送されることを特徴とする装置。
【請求項８】
前記制御部は、前記応答メッセージが前記測定記録情報を含まない場合、前記応答メッセージをｓｉｇｎａｌｉｎｇ  ｒａｄｉｏ  ｂｅａｒｅｒ  １（ＳＲＢ１）を通じて伝送するように、前記送受信部を制御することを特徴とする請求項７に記載の装置。
【請求項９】
前記端末情報要請は、前記基地局と、樹立されたｒａｄｉｏ  ｒｅｓｏｕｒｃｅ  ｃｏｎｔｒｏｌ（ＲＲＣ）連結とを通じて伝送されることを特徴とする請求項７に記載の装置。
【請求項１０】
基地局の情報受信装置において、
端末と通信する送受信部と、
端末に、絶対時間情報、区間情報及び周期情報を含む測定設定情報を伝送し、前記端末が測定設定情報に基づいた測定記録情報を有している指示子を受信し、前記端末に、ｒａｄｉｏ  ｌｉｎｋ  ｆａｉｌｕｒｅ（ＲＬＦ）報告要請及び測定記録情報要請のうちの少なくとも１つを含む端末情報要請を伝送し、前記端末情報要請に対応して、前記測定記録情報及びＲＬＦ情報のうちの少なくとも１つを含む応答メッセージを前記端末から受信する制御部と、
を含み、
前記応答メッセージに前記測定記録情報が含まれる場合、前記応答メッセージは、ｓｉｇｎａｌｉｎｇ  ｒａｄｉｏ  ｂｅａｒｅｒ  ２（ＳＲＢ２）を通じて受信されることを特徴とする装置。
【請求項１１】
前記制御部は、前記応答メッセージが前記測定記録情報を含まない場合、前記応答メッセージをｓｉｇｎａｌｉｎｇ  ｒａｄｉｏ  ｂｅａｒｅｒ  １（ＳＲＢ１）を通じて受信するように、前記送受信部を制御することを特徴とする請求項１０に記載の装置。
【請求項１２】
前記端末情報要請は、前記基地局と、樹立されたｒａｄｉｏ  ｒｅｓｏｕｒｃｅ  ｃｏｎｔｒｏｌ（ＲＲＣ）連結とを通じて伝送されることを特徴とする請求項１０に記載の装置。
【発明の詳細な説明】
【技術分野】
【０００１】
本発明は、３ＧＰＰシステムでＭＤＴ（Ｍｉｎｉｍｉｚａｔｉｏｎ  ｏｆ  Ｄｒｉｖｅ  Ｔｅｓｔ）測定報告を制御する方法に関し、特に本発明は、端末機の連結モードでＭＤＴ測定情報を報告する時に、メッセージタイプを決定する方法に関する。
【背景技術】
【０００２】
一般的に移動通信システムは、ユーザの移動性を確保しながら通信を提供するための目的に開発された。このような移動通信システムは、技術の飛躍的な発展に伴い、音声通信はもちろん、高速のデータ通信サービスを提供することができる段階に至った。近年、次世代移動通信システムの１つとして、３ＧＰＰで、ＬＴＥ−Ａ（Ｌｏｎｇ  Ｔｅｒｍ  Ｅｖｏｌｕｔｉｏｎ−Ａｄｖａｎｃｅｄ）に対する規格作業が進行中である。ＬＴＥ−Ａは、２０１０年後半に標準完成を目標とし、現在提供されているデータ伝送率より高い伝送速度を有する高速パケット基盤通信を具現する技術である。
【０００３】
３ＧＰＰ標準が進化するにつれて、通信速度を高めようとする方案以外にも、容易に無線網を最適化させようとする方案が論議中である。一般的に無線網初期構築時または網最適化時に、基地局または基地局制御局は、自分のセルカバレージに対する無線環境情報を収集しなければならないし、これをドライブテスト（Ｄｒｉｖｅ  Ｔｅｓｔ）と言う。従来のドライブテストは、主に測定者が自動車に測定装備を積んで、繰り返し的な測定業務を長時間行わなければならない煩わしさがあった。前記測定された結果は、分析過程を経て各基地局または基地局制御局のシステムパラメータ（Ｐａｒａｍｅｔｅｒ）を設定するのに用いられる。このようなドライブテストは、無線網最適化費用及び運営費用を増加させ、多くの時間を所要する。したがって、ドライブテスト（Ｄｒｉｖｅ  Ｔｅｓｔ）を最小化し、無線環境に対する分析過程及び手動設定を改善させるための研究がＭＤＴ（Ｍｉｎｉｍｉｚａｔｉｏｎ  ｏｆ  Ｄｒｉｖｅ  Ｔｅｓｔ）という名前で進行されている。
【発明の概要】
【発明が解決しようとする課題】
【０００４】
このために、ドライブテストの代わりに、端末が無線チャネル測定をしつつ周期的にまたは特定イベント（ｅｖｅｎｔ）が発生するとき、当該無線チャネル測定情報を基地局に即時伝達するか、または無線チャネル測定情報を格納した後、一定時間経過後、基地局に伝達する。以下では、端末が測定した無線チャネル測定情報及びその他付加情報を基地局に伝送する動作をＭＤＴ測定情報報告と称する。この場合、端末は、基地局と通信が可能であれば、前記チャネル測定結果を即時基地局に伝送するか、または即時報告が不可能な場合、これを記録しつつ、以後に通信が可能になれば、基地局に記録したＭＤＴ測定情報を報告する。これにより、基地局は、端末から受信されたＭＤＴ測定情報をセル領域最適化のために利用する。
【課題を解決するための手段】
【０００５】
前記課題を解決するために、本発明による端末機の情報伝送方法は、基地局で端末情報要請を受信する過程と、前記端末情報要請がＭＤＴ情報要請を含むか否かを判断する過程と、前記ＭＤＴ情報要請を含まない場合、端末情報をあらかじめ決定されたＳＲＢを通じて伝送し、前記ＭＤＴ情報要請を含む場合、ＭＤＴ情報を含む端末情報をあらかじめ決定された他のＳＲＢを通じて伝送する過程とを含むことを特徴とする。
【０００６】
また、前記課題を解決するために、本発明による基地局の情報受信方法は、端末機に端末情報要請を伝送する過程と、前記端末情報要請がＭＤＴ情報要請を含まない場合、あらかじめ決定されたＳＲＢを通じて端末情報を受信し、前記端末情報要請がＭＤＴ情報要請を含む場合、あらかじめ決定された他のＳＲＢを通じてＭＤＴ情報を含む端末情報を受信する過程とを含むことを特徴とする。
【０００７】
また、前記課題を解決するために、本発明による端末機の情報伝送装置は、基地局と通信するための送受信機と、前記基地局で端末情報要請を受信し、前記端末情報要請がＭＤＴ情報要請を含むか否かを判断し、前記ＭＤＴ情報要請を含まない場合、端末情報をあらかじめ決定されたＳＲＢを通じて伝送し、前記ＭＤＴ情報要請を含む場合、ＭＤＴ情報を含む端末情報をあらかじめ決定された他のＳＲＢを通じて伝送するように制御するための制御機とを含むことを特徴とする。
【０００８】
また、前記課題を解決するために、本発明による基地局の情報受信装置は、端末機と通信するための送受信機と、前記端末機に端末情報要請を伝送し、前記端末情報要請がＭＤＴ情報要請を含まない場合、あらかじめ決定されたＳＲＢを通じて端末情報を受信し、前記端末情報要請がＭＤＴ情報要請を含む場合、あらかじめ決定された他のＳＲＢを通じてＭＤＴ情報を含む端末情報を受信するように制御するための制御機とを含むことを特徴とする。
【０００９】
本発明によるＭＤＴ測定報告制御方法及び装置は、端末機と基地局間の通信によってＭＤＴ測定情報の報告が行われることによって、ＭＤＴが具現される。
【図面の簡単な説明】
【００１０】
【図１】図１は、ＬＴＥシステムでのＳＲＢマッピング概念図である。
【図２】図２は、端末機の位置予測に使用するためのＲＦ  ｆｉｎｇｅｒｐｒｉｎｔを収集し、これを報告する過程を説明する図である。
【図３】図３は、待機モードで記録後、報告動作でＭＤＴ測定過程を説明するための流れ図である。
【図４】図４は、端末機が基地局の要請によって、記録されたチャネル測定情報を報告する過程を詳細に示す図である。
【図５】図５は、一般的なＲＡＣＨ及びＲＬＦ情報とＭＤＴ測定情報を分離して処理する方法を説明するための図である。
【図６】図６は、ＭＤＴ測定情報がＵＥＩｎｆｏｒｍａｔｉｏｎＲｅｑｕｅｓｔメッセージに含まれるか否かによってＳＲＢタイプを自動的に決定する方法を説明するための図である。
【図７】図７は、ＵＥＩｎｆｏｒｍａｔｉｏｎＲｅｑｕｅｓｔメッセージのＳＲＢタイプによってＵＥＩｎｆｏｒｍａｔｉｏｎＲｅｓｐｏｎｓｅメッセージのＳＲＢタイプが決定される方法を説明するための図である。
【図８】図８は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達する方法を説明するための図である。
【図９】図９は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達する方法での端末機動作を示すフローチャートである。
【図１０】図１０は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達する方法での基地局動作を示すフローチャートである。
【図１１】図１１は、端末機の機能を示すブロック図である。
【図１２】図１２は、基地局の機能を示すブロック図である。
【発明を実施するための形態】
【００１１】
以下、添付の図面を参照して本発明の好ましい実施例をさらに詳しく説明する。この際、添付の図面において同一の構成要素は、できるだけ、同一の符号で示していることに留意しなければならない。また、本発明の要旨を不明にすることができる公知機能及び構成に関する詳細な説明は省略する。
【００１２】
本発明は、３ＧＰＰシステムでＭＤＴ（Ｍｉｎｉｍｉｚａｔｉｏｎ  ｏｆ  Ｄｒｉｖｅ  Ｔｅｓｔ）測定報告を制御する方法に関する。本発明において端末機が連結モードでＭＤＴ測定情報を報告する時に、メッセージタイプを決定する方法を提案する。
【００１３】
ＬＴＥ−Ａでは、端末機のＲＲＣ状態（ＵＥ  ＲＲＣ  ｓｔａｔｅ）によって基本的なＭＤＴ測定情報報告動作を次の表１のように分類する。
【００１４】
【表１】
0005882341.tif 000002
【００１５】
前記表１で、端末が基地局と通信をしていない状態を待機モード（ｉｄｌｅ  ｍｏｄｅ）と言い、そうではない場合を連結モード（ｃｏｎｎｅｃｔｅｄ  ｍｏｄｅ）と言う。ＭＤＴの場合、端末機の測定チャネル情報は、ＲＲＣシグナリング（ｓｉｇｎａｌｌｉｎｇ）で伝送されるので、端末機が待機モード状態なら、当該情報伝送のために連結モードに変更することができない。この場合、端末機は、基地局と連結モードに変更されるまでチャネル測定情報を記録するだけであり、伝送を延期させる。
【００１６】
図１は、ＬＴＥシステムでのＳＲＢマッピング概念図である。
【００１７】
図１を参照すれば、端末機によって記録されたＭＤＴ測定情報は、Ｃｏｎｔｒｏｌ  ｐｌａｎｅであるＳｉｇｎａｌｌｉｎｇ  Ｒａｄｉｏ  Ｂｅａｒｅｒ（ＳＲＢ）を通じてＲＲＣ階層からＰＤＣＰ階層に伝達する。ＲＲＣ階層１０５からＰＤＣＰ階層１３０に伝達されるＲＲＣ制御メッセージまたはＮＡＳメッセージ１１０は、ＳＲＢ０  １１５、ＳＲＢ１  １２０またはＳＲＢ２  １２５を通じて伝達する。ＳＲＢ０は、ＣＣＣＨを通じて送られるＲＲＣメッセージを伝達するのに使用される。最も優先順位が高い。ＳＲＢ１は、ＤＣＣＨを通じて送られるＲＲＣメッセージを伝達するのに使用され、一部のＰｉｇｇｙｂａｃｋされた形態で伝送されるＮＡＳメッセージを伝達するにも使用される。ＳＲＢ２は、ＤＣＣＨを通じて送られるＮＡＳメッセージを伝達するのに使用される。ＳＲＢ１及びＳＲＢ２を通じて送られるパケットは、いずれもｉｎｔｅｇｒｉｔｙ及びｃｉｐｈｅｒｉｎｇ過程を通じて、符号化される。また、ＳＲＢ１は、ＳＲＢ２より優先順位が高い。ＳＲＢ０〜２以外に、ｕｓｅｒ  ｐｌａｎｅデータを伝送するのに使用されるＤａｔａ  Ｒａｄｉｏ  Ｂｅａｒｅｒ（ＤＲＢ、１５０）が存在する。ＤＲＢに伝達されるパケットは、ｃｉｐｈｅｒｉｎｇ及びＲＯＨＣ  １５５過程を経てＲＬＣ  １６５階層に伝達され、ＲＬＣ階層は、当該パケットをＤＴＣＨにマッピング（ｍａｐｐｉｎｇ）される。
【００１８】
待機モードの端末機は、周期的にＭＤＴ測定情報を記録する。周期的なダウンリンクパイロット信号測定は、端末機が連結モードまたは待機モードで一定周期をもって繰り返してサービス領域の最適化のために必要な情報を測定及び収集することによって行われる。当該測定週期値をＭＤＴ測定週期と称し、基地局からＭＤＴ  ｃｏｎｆｉｇｕｒａｔｉｏｎを通じて端末機に提供される。サービス領域の最適化のために記録されるＭＤＴ測定情報は、下記の通りである。
（１）サービング（ｓｅｒｖｉｎｇ）セルのｇｌｏｂａｌ  ｃｅｌｌ  ＩＤ情報
（２）サービングセルのｓｉｇｎａｌ  ｓｔｒｅｎｇｔｈ（ｉ．ｅ．ＲＳＲＰ）及びｓｉｇｎａｌ  ｑｕａｌｉｔｙ（ｉ．ｅ．ＲＳＲＱ）測定情報
（３）Ｉｎｔｒａ−ｆｒｅｑ／ｉｎｔｅｒ−ｆｒｅｑ／ｉｎｔｅｒ−ＲＡＴ隣接セルのＰＣＩ（Ｐｈｙｓｉｃａｌ  ｃｅｌｌ  ＩＤ）、Ｃａｒｒｉｅｒ  ｆｒｅｑ  ＩＤ、ＲＡＴタイプ情報、ｓｉｇｎａｌ  ｓｔｒｅｎｇｔｈ（ｉ．ｅ．ＲＳＲＰ）及びｓｉｇｎａｌ  ｑｕａｌｉｔｙ（ｉ．ｅ．ＲＳＲＱ）測定情報
（４）位置情報
（５）時間情報
【００１９】
ＭＤＴ測定情報は、基本的にサービングセルのｇｌｏｂａｌ  ｃｅｌｌ  ＩＤ情報を含まなければならない。これは、当該情報がどのセルで収集されたかを通知する。Ｇｌｏｂａｌ  ｃｅｌｌ  ＩＤは、唯一に（ｕｎｉｑｕｅ）特定１つのセルを示さなければならない。サービングセルの無線チャネル状態は、特定ｍｅａｓｕｒｅｍｅｎｔを通じて表現されることができる。ＥＵＴＲＡでは、ＲＳＲＰとＲＳＲＱ、ＵＴＲＡＮでは、ＲＳＣＰとＥｃ／Ｎｏ、ＧＥＲＡＮでは、Ｒｘｌｅｖなどがこれに該当する。本発明では、ＥＵＴＲＡ  ＬＴＥシステムを基本に記述するが、他の様々な々システムにも適用可能である。３ＧＰＰでは、ＭＤＴ機能をＬＴＥとＵＭＴＳに適用する予定である。Ｉｎｔｒａ−ｆｒｅｑ／ｉｎｔｅｒ−ｆｒｅｑ／ｉｎｔｅｒ−ＲＡＴ隣接セルに対しては、ＰＣＩ（Ｐｈｙｓｉｃａｌ  ｃｅｌｌ  ＩＤ）、ｓｉｇｎａｌ  ｓｔｒｅｎｇｔｈ（ｉ．ｅ．ＲＳＲＰ）及びｓｉｇｎａｌ  ｑｕａｌｉｔｙ（ｉ．ｅ．ＲＳＲＱ）測定情報が含まれ、特に、ｉｎｔｅｒ−ｆｒｅｑ／ｉｎｔｅｒ−ＲＡＴ隣接セルに対しては、Ｃａｒｒｉｅｒ  ｆｒｅｑ  ＩＤ、ＲＡＴタイプ情報が追加的に含まれることができる。
【００２０】
基地局に伝達されるＭＤＴ測定中に、位置情報は、重要な要素である。ＧＰＳ基盤の位置情報を得ることができない場合には、隣接基地局から受信された信号強度の集合（ｓｅｔ）を測定し、基地局に通知し、このような信号強度の集合をＲＦ  ｆｉｎｇｅｒｐｒｉｎｔと言う。ＲＦ  ｆｉｎｇｅｒｐｒｉｎｔを受信した基地局は、隣接基地局の位置情報をあらかじめ知っており、隣接セルの信号強度値を信号経路減衰モデルに適用し、隣接セルと端末機の間の距離を予測することができる。隣接基地局の位置情報と予測された隣接セルと端末機の間の距離値を三角距離測量のような技法に適用すれば、概略的な端末機の位置を把握することができる。
【００２１】
図２は、端末機の位置予測に使用するためのＲＦ  ｆｉｎｇｅｒｐｒｉｎｔを収集し、これを報告する過程を説明する図である。ＧＰＳ基盤位置情報獲得が不可能な場合、端末機は、自分の正確な位置情報の代わりに、ＲＦ  ｆｉｎｇｅｒｐｒｉｎｔを基地局に伝送することができる。基地局は、前記ＲＦ  ｆｉｎｇｅｒｐｒｉｎｔを利用して端末機の位置を予測することができる。以下では、ＲＦ  ｆｉｎｇｅｒｐｒｉｎｔと位置予測情報は、同一の意味として混用されて使用されることができる。
【００２２】
図２を参照すれば、ＭＤＴ測定を実行中の待機モードの端末機２０５は、隣接基地局２１５、２２０、２２５からＲＦ  ｆｉｎｇｅｒｐｒｉｎｔを収集して記録した後、端末機２０５が基地局２１０と連結され、連結モードになれば、連結モードの端末機２５５は、前記記録したＲＦ  ｆｉｎｇｅｒｐｒｉｎｔを前記連結モードの端末機２５５に連結されたサービング基地局２６０に伝達する。この際、ＲＦ  ｆｉｎｇｅｒｐｒｉｎｔは、待機モードの端末機２０５にのみ限って収集されず、連結モードの端末機２５５もＲＦ  ｆｉｎｇｅｒｐｒｉｎｔを収集し、サービング基地局２６０に伝達することができる。
【００２３】
すなわち待機モードの端末機２０５は、サービング基地局２１０のセルに位置（ｃａｍｐｉｎｇ）していると仮定する。端末機２０５は、２３０段階で、第１サービング基地局２１０からＥＣＧＩ（Ｅ−ＵＴＲＡＮ  Ｃｅｌｌ  Ｇｌｏｂａｌ  Ｉｄｅｎｔｉｆｉｅｒ）情報を収集する。ＥＣＧＩ情報は、当該セルの固有な識別子である。また、第１サービング基地局２１０の信号強度の値としてＲＳＲＰ（Ｒｅｆｅｒｅｎｃｅ  Ｓｉｇｎａｌ  Ｒｅｃｅｉｖｅｄ  Ｐｏｗｅｒ）値を収集することができる。また、隣接基地局２１５、２２０、２２５からは、２３５、２４０、２４５段階で、ＰＣＩ（Ｐｈｙｓｉｃａｌ  Ｃｅｌｌ  Ｉｄｅｎｔｉｔｙ）情報とＲＳＲＰ値を収集する。前記ＰＣＩは、前記ＥＣＧＩのように当該基地局を示す識別子である。前記ＥＣＧＩは、基地局ごとに固有な値であるのに対し、ＰＣＩ値は、再使用されることができるものであって、複数の異なる基地局が同一のＰＣＩ値を有することができる。前記ＥＣＧＩは、それぞれの基地局を区別するのに使用される固有な識別値で、前記識別値のサイズが大きい。したがって、通信設定過程ごとに前記ＥＣＧＩ値を使用するには、資源効率性の側面で負担となる。したがって、通信の初期設定では、ＥＣＧＩ値を使用し、その後の通信設定時には、比較的サイズが小さいＰＣＩを使用して基地局を区別する。ＰＣＩ値のサイズは、すべての基地局を区別するには、比較的小さいため、再使用をするので、基地局の区分に混同が生じないように、できるだけ遠い距離に位置する基地局が同一のＰＣＩ値を割り当てられるようにする割り当て計画が必要である。端末機２０５は、第１サービング基地局２１０のＥＣＧＩ情報を持って正確なサービス領域の位置を把握し、当該地域で使用されているＰＣＩ値を収集し、隣接基地局２１５、２２０、２２５を確認する。
【００２４】
２３０、２３５、２４０、２４５段階で、収集されたＲＦ  ｆｉｎｇｅｒｐｒｉｎｔは、待機モードの端末機２０５が、２５０段階で、連結モードへ転換されれば、そのときの第２サービング基地局２６０に伝達されることができる。前記第１サービング基地局２１０と第２サービング基地局２６０は、同一の基地局であってもよく、異なる基地局であってもよい。２つのサービング基地局が異なるということは、端末機２０５が第１サービング基地局２１０に位置してから、第２サービング基地局２６０に移動したことを意味する。一方、連結モードの端末機２５５は、第２サービング基地局２６０の要請によって、２６５段階で、記録されたＭＤＴ測定情報とともにＲＦ  ｆｉｎｇｅｒｐｒｉｎｔを伝達することができる。参照として、現在ＬＴＥ標準によれば、ＲＦ  ｆｉｎｇｅｒｐｒｉｎｔに含まれることができる基地局の数は、最大６個であることができる。
【００２５】
時間情報も、ＭＤＴ測定情報において重要な要素である。無線チャネル測定時時間情報がサービス領域を最適化するのに重要な役目をする。これは、時間帯別に、無線チャネル状態が変わるからである。また、時間情報は、連結モードでの即時報告より、待機モードでの記録後、報告でさらに重要に活用される。連結モードでの即時報告は、報告のすぐ前に測定した結果が含まれるので、時間情報が大きく重要でない。しかし、待機モードでの記録後、報告では、時間情報がなければ、いつ測定が行われたかを全然予測することができない。したがって、現在開発が進行されている３ＧＰＰ標準では、連結モードでの即時報告では、時間情報が入らないが、待機モードでの記録後、報告では、時間情報が必須情報として含まれた。
【００２６】
時間情報は、様々な形態で提供されることができる。その形態と言えば、端末機は、絶対的時間を提供するか、または相対的時間を報告することができる。絶対的時間は、当該時間情報を報告するために必要なｂｉｔの数が多く必要である。これに対し、相対的時間は、必要なｂｉｔの数が相対的に絶対的時間より少ないことができる。３ＧＰＰ標準では、シグナリングオーバーヘッド（ｓｉｇｎａｌｌｉｎｇ  ｏｖｅｒｈｅａｄ）を低減するために、相対的時間情報をＭＤＴ測定情報に含ませる。基地局は、端末機に絶対的時間基準情報を提供し、端末機は、提供された絶対的時間を基準にして相対的時間スタンプを各測定サンプルに含ませる。また、ＭＤＴ測定完了後、基地局に記録した測定情報を報告するとき、基地局が以前に提供した絶対的時間基準情報も一緒に通知する。これは、初期に絶対的時間基準情報を提供した基地局と報告を受ける基地局が異なることができるからである。
【００２７】
図３は、待機モードで記録後、報告動作でＭＤＴ測定過程を説明するための流れ図である。
【００２８】
図３を参照すれば、基地局３０５は、３１０段階で、連結モードである端末機３００にＭＤＴをｃｏｎｆｉｇｕｒｅしながら必要な情報、すなわちチャネル測定構成情報（ＭＤＴ  ｃｏｎｆｉｇｕｒａｔｉｏｎ、以下同一）を伝達する。当該情報は、絶対的時間基準情報、ｓａｍｐｌｉｎｇ  ｃｙｃｌｅ、ｍｅａｓｕｒｅｍｅｎｔ  ｄｕｒａｔｉｏｎなどを含む。絶対的時間基準情報は、既に前述した。Ｓａｍｐｌｉｎｇ  ｃｙｃｌｅは、周期的なダウンリンクパイロット信号測定のために使用され、提供されたｃｙｃｌｅごとにＭＤＴ測定情報を収集し記録する。Ｍｅａｓｕｒｅｍｅｎｔ  ｄｕｒａｔｉｏｎは、ＭＤＴを行う全体時間である。当該時間が経過すれば、端末機３００は、ＭＤＴ実行を中止する。端末機３００のＲＲＣ状態が連結モードから待機モードに変更されれば、端末機３００は、３１５段階で、ＭＤＴ実行を開始する（３１５）。３２０段階で、最初のＭＤＴ測定及び記録を実行した後、端末機３００は、３２５段階で、続いてＭＤＴ測定及び記録をあらかじめ提供されたｓａｍｐｌｉｎｇ  ｃｙｃｌｅごとに行う。この際、端末機３００は、３３０のように、各測定サンプルごとに前述したＭＤＴ測定情報を記録する。端末機３００が、３３５段階で、連結モードに入れば、端末機３００は、３４０段階で、記録したＭＤＴ測定情報があるか否かを基地局に通知する。基地局は、状況によって報告を要請することもできる。要請がある場合、今まで記録したＭＤＴ測定情報を報告し記録された情報を削除する。要請がない場合には、続いて記録情報を維持する。
【００２９】
また、端末機３００が、３４５段階で、待機モードに入って、まだｍｅａｓｕｒｅｍｅｎｔ  ｄｕｒａｔｉｏｎが指示している時間が経過しなければ、端末機３００は、３５０段階で、続いてＭＤＴ動作を行い、ＭＤＴ測定情報を収集する。Ｍｅａｓｕｒｅｍｅｎｔ  ｄｕｒａｔｉｏｎは、連結モードでの時間を考慮してもよく、考慮しなくてもよい。３５５段階で、Ｍｅａｓｕｒｅｍｅｎｔ  ｄｕｒａｔｉｏｎが満了すれば、端末機３００は、ＭＤＴ実行を中断する。端末機３００が、３６０段階で、連結モードに入って、端末機３００は、３６５段階で、さらに記録したＭＤＴ測定情報があることを基地局に通知し、基地局が要請するとき、記録したＭＤＴ測定情報を報告する過程を行う。
【００３０】
図４は、端末機４０５が基地局４１０の要請によって、記録されたチャネル測定情報を報告する過程を詳細に示す図である。
【００３１】
図４を参照すれば、端末機４０５は、４１５段階で、基地局４１０との通信のために、アクセス試みをトリガーし、４２０段階で、ランダムアクセスを試みる。その後、端末機４０５は、４２５段階で、連結モードに進入する。それでは、基地局４１０は、４３０段階で、ＲＲＣ連結再構成メッセージ（ＲＲＣＣｏｎｎｅｃｔｉｏｎＲｅｃｏｎｆｉｇｕｒａｔｉｏｎ）を通じて、ＭＤＴ実行のために必要な情報、すなわちチャネル測定構成情報を端末機４０５に伝達する。一方、端末機４０５は、４３５段階で、ＲＲＣＣｏｎｎｅｃｔｉｏｎＲｅｃｏｎｆｉｇｕｒａｔｉｏｎメッセージに対する応答メッセージとしてＲＲＣＣｏｎｎｅｃｔｉｏｎＲｅｃｏｎｆｉｇｕｒａｔｉｏｎＣｏｍｐｌｅｔｅメッセージを基地局４１０に伝送する。
【００３２】
その後、端末機４０５は、４４０段階で、待機モードに転換され、ＭＤＴ  ｍｅａｓｕｒｅｍｅｎｔ実行期間が開始すれば、４４５段階で、ＭＤＴ  ｍｅａｓｕｒｅｍｅｎｔを行う。端末機４０５は、指示された実行期間が終了すれば、４５５段階で、ＭＤＴ  ｍｅａｓｕｒｅｍｅｎｔを中断する。その後、端末機４０５は、４６０段階で、連結モードへの転換を決定し、４６５段階で、ＲＲＣ連結要請メッセージ（ＲＲＣＣｏｎｎｅｃｔｉｏｎＲｅｑｕｅｓｔ）を基地局に伝送する。基地局１１０がこれを許容する場合、基地局１１０は、４７０段階で、ＲＲＣ連結設定メッセージ（ＲＲＣＣｏｎｎｅｃｔｉｏｎＳｅｔｕｐ）を端末機４０５に伝送する。連結モードへ転換された端末機４０５は、４７５段階で、待機モードで記録したチャネル測定情報を有していることを基地局に伝達する。このために、１つの識別子（ｉｎｄｉｃａｔｉｏｎ）をＲＲＣ連結設定完了メッセージ（ＲＲＣＣｏｎｎｅｃｔｉｏｎＳｅｔｕｐＣｏｍｐｌｅｔｅ）に含ませて伝送する。当該識別子を伝送する理由は、端末機４０５が記録しているＭＤＴ測定情報があるか否かを基地局４１０に通知し、前記基地局４１０がＭＤＴ測定情報伝送可否に関する要請を決定することができるように判断根拠を提供するためである。例えば、端末機４０５は、一般的に長時間待機モードにあるので、多くの量のチャネル測定情報が記録される。この際、連結モードへ転換されれば、端末機４０５は、記録情報伝送に多い資源を消耗しなければならない。基地局４１０は、現在無線容量状況などを考慮してＭＤＴ測定情報を報告されるかを判断する。
【００３３】
もし、基地局４１０が、端末機４０５が記録したチャネル測定情報が有用であると判断すれば、基地局４１０は、４８０段階で、端末情報要請メッセージ（ＵＥＩｎｆｏｒｍａｔｉｏｎＲｅｑｕｅｓｔ）を通じてＭＤＴ測定情報を要請する。端末機４０５は、基地局４１０から端末情報要請受信時に、４８５段階で、ＭＤＴ測定情報を基地局４１０に伝送する。一般的に記録されたＭＤＴ測定情報が緊急に伝送される必要性が低下するので、伝達過程で他のＲＲＣメッセージ及び一般データとの優先順位を考慮して伝送する必要がある。端末機４０５は、４９０段階で、ＭＤＴ測定情報を端末情報応答メッセージ（ＵＥＩｎｆｏｒｍａｔｉｏｎＲｅｓｐｏｎｓｅ）に含ませて基地局４１０に伝達する。端末機４０５は、一度基地局に伝達されたＭＤＴ測定情報は、削除することができる。
【００３４】
ＭＤＴ測定情報を要請し伝達するのに使用されるＵＥＩｎｆｏｒｍａｔｉｏｎ過程は、元々ＲＡＣＨ（Ｒａｎｄｏｍ  Ａｃｃｅｓｓ  Ｃｈａｎｎｅｌ）及びＲＬＦ（Ｒａｄｉｏ  Ｌｉｎｋ  Ｆａｉｌｕｒｅ）情報を要請及び伝達するのに使用される。ＲＡＣＨ及びＲＬＦ情報は、１つのＵＥ  Ｉｎｆｏｒｍａｔｉｏｎ過程で同時に要請され伝達することもできる。したがって、ＭＤＴ測定情報も既存のＲＡＣＨ及びＲＬＦ情報とともに要請及び伝達することもできる。ＲＡＣＨ及びＲＬＦ情報は、ＳＲＢ１に属しており、ＭＤＴ測定情報は、ＳＲＢ１より優先順位が低いＳＲＢ２を通じて伝達されることができる。このような異なるＳＲＢタイプが存在することができる状況で、同時にＲＡＣＨ、ＲＬＦ、ＭＤＴ測定情報を基地局が要請するとき、これを制御することができる方法が必要である。
【００３５】
図５は、一般的なＲＡＣＨ及びＲＬＦ情報とＭＤＴ測定情報を分離して処理する方法を示している。
【００３６】
図５を参照すれば、基地局５１０は、必要に応じて、５１５段階で、ＲＡＣＨ、ＲＬＦ、ＭＤＴ測定情報を同時に要請することができるが、実際端末機５０５に要請するときには、分離された個別ＵＥ  Ｉｎｆｏｒｍａｔｉｏｎ過程を行い、それぞれの情報を報告されることができる。基地局５１０は、まず、１つのＵＥＩｎｆｏｒｍａｔｉｏｎＲｅｑｕｅｓｔメッセージを利用して、５２０段階で、ＲＡＣＨ及びＲＬＦ情報を要請する。これにより、端末機５０５は、５２５段階で、ＵＥＩｎｆｏｒｍａｔｉｏｎＲｅｓｐｏｎｓｅメッセージを使用して当該情報を報告する。この際、適用されるＵＥＩｎｆｏｒｍａｔｉｏｎＲｅｑｕｅｓｔ及びＵＥＩｎｆｏｒｍａｔｉｏｎＲｅｓｐｏｎｓｅメッセージは、いずれもＳＲＢ１による。基地局５１０は、他のＵＥＩｎｆｏｒｍａｔｉｏｎＲｅｑｕｅｓｔメッセージを利用して、５３０段階で、ＭＤＴ測定情報を要請する。端末機５０５は、５３５段階で、ＵＥＩｎｆｏｒｍａｔｉｏｎＲｅｓｐｏｎｓｅメッセージを使用して当該情報を報告する。
【００３７】
この際、適用されるＵＥＩｎｆｏｒｍａｔｉｏｎＲｅｑｕｅｓｔ及びＵＥＩｎｆｏｒｍａｔｉｏｎＲｅｓｐｏｎｓｅメッセージは、あらかじめＭＤＴ測定情報のために決定されたＳＲＢタイプによる。例えば、ＭＤＴ測定情報は、ＳＲＢ２だけを通じて伝達されると仮定したら、当該メッセージは、自動的にすべてＳＲＢ２による。当該方法は、１つのＵＥ  Ｉｎｆｏｒｍａｔｉｏｎ過程でＲＡＣＨ、ＲＬＦ、ＭＤＴ測定情報を処理することを排除させることによって、ＳＲＢタイプ選択方法を新たに適用されることを避けることができる。しかし、単純性のために別個のＵＥＩｎｆｏｒｍａｔｉｏｎ過程が多数行われなければならない煩わしさがあるという短所がある。
【００３８】
このような煩わしさを解決するために、１つのＵＥ  Ｉｎｆｏｒｍａｔｉｏｎ過程ですべての情報を要請及び伝達すれば、ＳＲＢタイプを選択する方法が必要である。このための３つの方法が存在する。図６は、一番目の方法を説明するための流れ図であり、図７は、二番目の方法を説明するための流れ図であり、図８は、三番目の方法を説明するための流れ図である。
【００３９】
図６を参照すれば、一番目の方法は、ＭＤＴ測定情報がＵＥＩｎｆｏｒｍａｔｉｏｎＲｅｑｕｅｓｔメッセージに含まれるか否かによってＳＲＢタイプを自動的に決定するものである。すなわち基地局６１０は、必要に応じて、６１５段階で、ＲＡＣＨ、ＲＬＦ、ＭＤＴ測定情報を同時に要請することができる。基地局６１０は、６２０段階で、ＵＥＩｎｆｏｒｍａｔｉｏｎＲｅｑｕｅｓｔメッセージを利用して、ＲＡＣＨ、ＲＬＦ、ＭＤＴ測定情報を端末機６０５に要請する。端末機６０５は、当該メッセージにＭＤＴ測定情報に対する要請が含まれているか否かを６２５段階で確認する。ＭＤＴ測定情報に対する要請が含まれていれば、あらかじめ決定されたＳＲＢタイプに設定されたＵＥＩｎｆｏｒｍａｔｉｏｎＲｅｓｐｏｎｓｅメッセージを利用して、端末機６０５は、すべての情報を基地局６１０に６３０段階で報告する。例えば、ＭＤＴ測定情報に対する要請がある場合、ＵＥＩｎｆｏｒｍａｔｉｏｎＲｅｓｐｏｎｓｅは、ＳＲＢ２によると定義することができる。この場合、ＲＡＣＨ、ＲＬＦ情報は、いずれもＳＲＢ２を通じて伝達される。ＭＤＴ測定情報が含まれていなければ、ＲＡＣＨ及びＲＬＦ情報は、ＳＲＢ１を通じて伝達される。
【００４０】
図７を参照すれば、二番目の方法は、ＵＥＩｎｆｏｒｍａｔｉｏｎＲｅｑｕｅｓｔメッセージのＳＲＢタイプによってＵＥＩｎｆｏｒｍａｔｉｏｎＲｅｓｐｏｎｓｅメッセージのＳＲＢタイプが決定されるものである。すなわち基地局７１０は、必要に応じて、７１５段階で、ＲＡＣＨ、ＲＬＦ、ＭＤＴ測定情報を同時に要請することができる。基地局７１０は、ＵＥ  Ｉｎｆｏｒｍａｔｉｏｎ過程で使用されるＳＲＢタイプを７２０段階で決定する。当該ＳＲＢタイプを適用したＵＥＩｎｆｏｒｍａｔｉｏｎＲｅｑｕｅｓｔメッセージを利用して、ＲＡＣＨ、ＲＬＦ、ＭＤＴ測定情報に対する要請を端末機７０５に伝達する。端末７０５は、ＵＥＩｎｆｏｒｍａｔｉｏｎＲｅｑｕｅｓｔメッセージのＳＲＢタイプを７３０段階で確認する。端末機７０５は、当該ＳＲＢタイプを適用したＵＥＩｎｆｏｒｍａｔｉｏｎＲｅｓｐｏｎｓｅメッセージを使用してＲＡＣＨ、ＲＬＦ、ＭＤＴ測定情報を７３５段階で基地局７１０に報告する。例えば、ＵＥＩｎｆｏｒｍａｔｉｏｎＲｅｑｕｅｓｔメッセージのＳＲＢタイプがＳＲＢ２に設定されれば、端末機７０５は、同一のＳＲＢ２を通じてＵＥＩｎｆｏｒｍａｔｉｏｎＲｅｓｐｏｎｓｅメッセージを伝達する。当該方法は、追加的なｉｎｄｉｃａｔｉｏｎなしにＵＥＩｎｆｏｒｍａｔｉｏｎＲｅｓｐｏｎｓｅメッセージのタイプを決定することができる長所がある。一方、ＵＥＩｎｆｏｒｍａｔｉｏｎＲｅｑｕｅｓｔメッセージもＳＲＢタイプによって伝送で優先順位の影響を受けることができる短所がある。
【００４１】
図８を参照すれば、三番目の方法は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達するものである。すなわち基地局８１０は、必要に応じて、８１５段階で、ＲＡＣＨ、ＲＬＦ、ＭＤＴ測定情報を同時に要請することができる。基地局８１０は、受信されることを希望するＵＥＩｎｆｏｒｍａｔｉｏｎＲｅｓｐｏｎｓｅメッセージのＳＲＢタイプを８２０段階で決定する。例えば、１−ｂｉｔ  ｉｎｄｉｃａｔｉｏｎがＵＥＩｎｆｏｒｍａｔｉｏｎＲｅｑｕｅｓｔに含まれる。その１ｂｉｔが‘０’に設定されれば、ＵＥＩｎｆｏｒｍａｔｉｏｎＲｅｓｐｏｎｓｅメッセージにＳＲＢ１を適用することを指示し、‘１’ならＳＲＢ２を適用することを指示する。基地局８１０は、当該ｉｎｄｉｃａｔｉｏｎが含まれたＵＥＩｎｆｏｒｍａｔｉｏｎＲｅｑｕｅｓｔメッセージを８２５段階で端末機８０５に伝達する。端末機８０５は、８３０段階で、ＵＥＩｎｆｏｒｍａｔｉｏｎＲｅｑｕｅｓｔメッセージが含むｉｎｄｉｃａｔｉｏｎ情報に基づいてＵＥＩｎｆｏｒｍａｔｉｏｎＲｅｓｐｏｎｓｅメッセージに適用されるＳＲＢタイプを決定する。端末機８０５は、８３５段階で、決定されたＳＲＢタイプによってＲＡＣＨ、ＲＬＦ、ＭＤＴ測定情報を含むＵＥＩｎｆｏｒｍａｔｉｏｎｒＲｅｓｐｏｎｓｅメッセージを基地局８１０に伝達する。当該ｉｎｄｉｃａｔｉｏｎは、ＭＤＴ測定情報に対する要請がＵＥＩｎｆｏｒｍａｔｉｏｎＲｅｑｕｅｓｔメッセージに含まれるとき、一緒に当該メッセージに含まれ、ＭＤＴ測定情報に対する要請がなければ、既存どおり、ＳＲＢ１によってＵＥＩｎｆｏｒｍａｔｉｏｎ過程を行い、ＲＡＣＨ及びＲＬＦ情報を処理すれば良い。
【００４２】
したがって、端末機は、本発明の実施例によって次のようにＭＤＴ測定報告手続を行う。すなわち待機モードに転換時に、端末機は、ＭＤＴ測定時間区間に対応してＭＤＴ測定情報を収集して記録する。また、連結モードへ転換時に、端末機は、ＭＤＴ測定情報を基地局に伝達する。この際、待機モードから連結モードへ転換時に、端末機は、ＭＤＴ測定情報の記録可否を基地局に通知することができる。これに対応して、基地局でＭＤＴ測定情報が要請されれば、端末機は、ＭＤＴ測定情報を基地局に伝達することができる。また、端末機は、ＭＤＴ測定情報のためのＳＲＢを決定し、これを通じてＭＤＴ測定情報を基地局に伝達することができる。ここで、端末機は、ＭＤＴ測定情報の要請が行われたＳＲＢまたはＭＤＴ測定情報の要請を通じて受信されるＳＲＢ指示子に対応してＭＤＴ測定情報のためのＳＲＢを決定することができる。しかも、連結モードで、端末機は、他のＭＤＴ測定情報を収集して基地局に伝達する。このような端末機のＭＤＴ測定報告手続きの一例を図９を参照して後述する。
【００４３】
図９は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達する方法での端末機の動作を示すフローチャートである。
【００４４】
図９を参照すれば、連結モードへ転換すれば、端末機は、９１０段階で、ＲＲＣＣｏｎｎｅｃｔｉｏｎＳｅｔｕｐＣｏｍｐｌｅｔｅメッセージを通じて、当該端末機がＭＤＴ測定情報を有していることを基地局に通知する。その後、端末機は、基地局からＵＥＩｎｆｏｒｍａｔｉｏｎＲｅｑｕｅｓｔメッセージを９１５段階で受信する。端末機は、９２０段階で、当該メッセージにＭＤＴ測定情報報告に対する要請が含まれたか否かを確認する。
【００４５】
もしＵＥＩｎｆｏｒｍａｔｉｏｎＲｅｑｕｅｓｔメッセージにＭＤＴ測定情報報告に対する要請が含まれていなければ、端末機は、９３０段階で、ＳＲＢ１であるＵＥＩｎｆｏｒｍａｔｉｏｎＲｅｓｐｏｎｓｅメッセージを構成する。また、端末機は、９３５段階で、ＲＡＣＨ及びＲＬＦ情報を含ませて基地局に伝送する。
【００４６】
もしＵＥＩｎｆｏｒｍａｔｉｏｎＲｅｑｕｅｓｔメッセージにＭＤＴ測定情報報告に対する要請が含まれていれば、端末機は、９２５段階で、当該メッセージに含まれたＳＲＢタイプを通知する指示子（ｉｎｄｉｃａｔｉｏｎ）を確認する。当該指示子は、ＵＥＩｎｆｏｒｍａｔｉｏｎＲｅｓｐｏｎｓｅメッセージに適用されたＳＲＢタイプを示す。端末機は、９４０段階で、１−ｂｉｔ指示子が示す情報を確認する。当該指示子が‘０’なら、端末機は、９４５段階で、ＵＥＩｎｆｏｒｍａｔｉｏｎＲｅｓｐｏｎｓｅメッセージにＳＲＢ１を適用する。また、当該指示子が‘１’なら、端末機は、９５０段階で、ＵＥＩｎｆｏｒｍａｔｉｏｎＲｅｓｐｏｎｓｅメッセージにＳＲＢ２を適用する。その後、端末機は、９５５段階で、ＵＥＩｎｆｏｒｍａｔｉｏｎＲｅｓｐｏｎｓｅメッセージを利用してＭＤＴ測定情報を基地局に報告する。
【００４７】
一方、基地局は、本発明の実施例によって次のように端末機のＭＤＴ測定報告を制御する手続きを行う。すなわち基地局は、端末機でＭＤＴ測定時間区間に対応して収集されて記録されたＭＤＴ測定情報を要請する。この際、端末機でＭＤＴ測定情報の記録可否が受信されれば、基地局がこれに対応して端末機にＭＤＴ測定情報を要請することができる。また、基地局は、ＭＤＴ測定情報のためのＳＲＢを決定し、端末機に通知することができる。ここで、基地局は、当該ＳＲＢを通じてＭＤＴ測定情報を要請するか、当該ＳＲＢに対応する指示子を含ませてＭＤＴ測定情報を要請することができる。また、基地局は、端末機でＭＤＴ測定情報を受信する。このような基地局で端末機のＭＤＴ測定報告制御手続の一例を図１０を参照して後述する。
【００４８】
図１０は、ＵＥＩｎｆｏｒｍａｔｉｏｎＲｅｑｕｅｓｔメッセージにＵＥＩｎｆｏｒｍａｔｉｏｎＲｅｓｐｏｎｓｅメッセージのＳＲＢタイプを指示して伝達する方法での基地局の動作を示すフローチャートである。
【００４９】
図１０を参照すれば、基地局は、１０１０段階で、端末機からＲＲＣＣｏｎｎｅｔｉｏｎＳｅｔｕｐＣｏｍｐｌｅｔｅメッセージを受信される。当該メッセージには、端末機がＭＤＴ測定情報を有しているという識別子が含まれることができる。基地局は、１０１５段階で、当該端末機が有しているＭＤＴ測定情報をＲＡＣＨ及びＲＬＦ情報とともに要請すべきかを判断する。必要であると判断されれば、基地局は、１０２０段階で、ＵＥＩｎｆｏｒｍａｔｉｏｎＲｅｓｐｏｎｓｅメッセージのＳＲＢタイプを決定し、指示子を構成する。構成した指示子と一緒に、基地局は、１０２５段階で、端末機にＵＥＩｎｆｏｒｍａｔｉｏｎＲｅｑｕｅｓｔメッセージを伝送する。基地局は、１０３０段階で、当該ＳＲＢタイプを有するＵＥＩｎｆｏｒｍａｔｉｏｎＲｅｓｐｏｎｓｅメッセージを受信する。当該メッセージには、基地局が要請したＭＤＴ測定情報を含んでいる。
【００５０】
本発明では、様々な方法によって、ＵＥＩｎｆｏｒｍａｔｉｏｎ過程のＳＲＢタイプを制御する方法を提示した。各方法での動作フローチャートは、前述した内容と非常に類似しているので、端末機及び基地局の動作を示すフローチャートは、これらのうち１つの方法だけに対して説明した。
【００５１】
図１１は、端末機の機能を示すブロック図である。
【００５２】
図１１を参照すれば、端末機は、機能上の役目によって送受信機１１０５、メモリ１１１０、制御機１１１５で構成される。
送受信機１１０５は、端末機で無線通信機能を行う。このような送受信機１１０５は、基地局と無線連結を提供する。すなわち送受信機１１０５は、サービング基地局と信号を送受信し、隣接基地局で信号を受信する。
【００５３】
メモリ１１１０は、プログラムメモリ及びデータメモリで構成されることができる。プログラムメモリは、端末機の一般的な動作を制御するためのプログラムを格納する。この際、プログラムメモリは、本発明の実施例によってＭＤＴ測定報告のためのプログラムを格納する。データメモリは、プログラムを行う中に発生するデータを格納する機能を行う。
【００５４】
制御機１１１５は、端末機の全般的な動作を制御する。
このような制御機１１１５は、本発明の実施例によってＭＤＴ測定情報を収集し、これをメモリ１１１０に記録する。このために、制御機１１１５は、収集部を備える。収集部は、待機モードに転換時に、ＭＤＴ測定時間区間に対応してＭＤＴ測定情報を収集して記録する。また、収集部は、連結モードでＭＤＴ測定情報を収集して記録する。
【００５５】
また、制御機１１１５は、本発明の実施例によって送受信機１１０５を通じてＭＤＴ測定情報を基地局に伝達する。この際、制御機１１１５は、連結モードへ転換時に、待機モードで記録されたＭＤＴ測定情報を基地局に伝達するように制御する。さらに、制御機１１１５は、連結モードでＭＤＴ測定情報が収集される即時、これを基地局に伝達するように制御する。この際、制御機１１１５は、ＭＤＴ測定情報の記録可否を基地局に通知することができる。これに対応して、基地局でＭＤＴ測定情報が要請されれば、制御機１１１５は、ＭＤＴ測定情報を基地局に伝達することができる。また、制御機１１１５は、ＭＤＴ測定情報のためのＳＲＢを決定し、これを通じてＭＤＴ測定情報を基地局に伝達することができる。ここで、制御機１１１５は、基地局で受信されるＵＥＩｎｆｏｒｍａｔｉｏｎＲｅｑｕｅｓｔメッセージにＭＤＴ測定情報に対する要請があるか否かによってＳＲＢを決定する。すなわちＵＥＩｎｆｏｒｍａｔｉｏｎＲｅｑｕｅｓｔメッセージにＭＤＴ測定情報に対する要請がなければ、制御機１１１５は、ＵＥＩｎｆｏｒｍａｔｉｏｎＲｅｓｐｏｎｓｅメッセージのためのＳＲＢをＳＲＢ１として決定する。また、ＵＥＩｎｆｏｒｍａｔｉｏｎＲｅｑｕｅｓｔメッセージにＭＤＴ測定情報に対する要請があれば、制御機１１１５は、ＵＥＩｎｆｏｒｍａｔｉｏｎＲｅｓｐｏｎｓｅメッセージのためのＳＲＢをＳＲＢ２として決定し、ＵＥＩｎｆｏｒｍａｔｉｏｎＲｅｓｐｏｎｓｅメッセージにＭＤＴ測定情報を含ませて伝送する。または制御機１１１５は、ＭＤＴ測定情報の要請が行われたＳＲＢまたはＭＤＴ測定情報の要請を通じて受信されるＳＲＢ指示子に対応してＭＤＴ測定情報のためのＳＲＢを決定することができる。
【００５６】
このために、制御機１１１５は、送受信機１１０５を通じてＭＤＴ動作と関連したＲＲＣメッセージを送受信するように制御する。この際、制御機１１１５は、必要なＲＲＣメッセージを構成し、送受信機１１０５で当該メッセージを伝送するように制御する。ここで、基地局に端末機がＭＤＴ測定情報を有しているという識別子をＲＲＣＣｏｎｎｅｃｔｉｏｎＳｅｔｕｐＣｏｍｐｌｅｔｅメッセージに含ませるか、ＵＥＩｎｆｏｒｍａｔｉｏｎＲｅｓｐｏｎｓｅメッセージにメモリ１１１０に格納されたＭＤＴ測定情報を含ませて送受信機１１０５を通じて伝送するように制御することができる。また、制御機１１１５は、基地局から受信されたＵＥＩｎｆｏｒｍａｔｉｏｎＲｅｑｕｅｓｔメッセージを分析する。方法によって、ＵＥＩｎｆｏｒｍａｔｉｏｎＲｅｑｕｅｓｔメッセージにＭＤＴ測定情報に対する要請及びＳＲＢタイプ指示子が含まれているかを確認するか、ＵＥＩｎｆｏｒｍａｔｉｏｎＲｅｑｕｅｓｔメッセージのＳＲＢタイプを確認する。
【００５７】
図１２は、基地局の機能を示すブロック図である。
【００５８】
図１２を参照すれば、基地局は、機能の役目によって、送受信機１２０５、制御機１２１０で構成される。
【００５９】
送受信機１２０５は、基地局で無線通信機能を行う。この際、送受信機１２０５は、当該セル内の端末機と無線連結が可能である。また、送受信機１２０５は、ＭＤＴ動作と関連したＲＲＣメッセージを送受信するのに利用される。
【００６０】
制御機１２１０は、基地局の全般的な動作を制御する。このような制御機１２１０は、必要なＲＲＣメッセージを構成し、送受信機１２０５で当該メッセージを伝送するように制御する。すなわち制御機１２１０は、本発明の実施例によって送受信機１２０５を通じて端末機にＭＤＴ測定情報を要請する。この際、端末機でＭＤＴ測定情報の記録可否が受信されれば、制御機１２１０がこれに対応して端末機にＭＤＴ測定情報を要請することができる。また、制御機１２１０は、ＭＤＴ測定情報のためのＳＲＢを決定し、端末機に通知することができる。ここで、制御機１２１０は、当該ＳＲＢを通じてＭＤＴ測定情報を要請するか、当該ＳＲＢに対応する指示子を含ませてＭＤＴ測定情報を要請することができる。すなわち方法によって、ＵＥＩｎｆｏｒｍａｔｉｏｎＲｅｑｕｅｓｔメッセージにＭＤＴ測定情報に対する要請及びＳＲＢタイプ指示子を含ませる。また、ＵＥＩｎｆｏｒｍａｔｉｏｎＲｅｑｕｅｓｔメッセージのＳＲＢタイプを決定することもできる。これを通じて、制御機１２１０は、本発明の実施例によって端末機でＭＤＴ測定情報を受信する。すなわちＵＥＩｎｆｏｒｍａｔｉｏｎＲｅｑｕｅｓｔメッセージにＭＤＴ測定情報に対する要請がなければ、制御機１２１０は、ＳＲＢ１を通じてＵＥＩｎｆｏｒｍａｔｉｏｎＲｅｓｐｏｎｓｅメッセージを受信する。また、ＵＥＩｎｆｏｒｍａｔｉｏｎＲｅｑｕｅｓｔメッセージにＭＤＴ測定情報に対する要請があれば、制御機１２１０は、ＳＲＢ２を通じてＭＤＴ測定情報を含むＵＥＩｎｆｏｒｍａｔｉｏｎＲｅｓｐｏｎｓｅメッセージを受信する。
【００６１】
一方、ＵＥＩｎｆｏｒｍａｔｉｏｎ過程を通じて、端末機は、基地局にＭＤＴ測定情報を伝達する。また、端末機は、伝達したＭＤＴ測定情報をメモリで削除する。同時に、基地局は、ＭＤＴ実行期間が終わらなくても、中間に端末機にＭＤＴ測定情報を要請することができる。
【００６２】
一方、本明細書と図面に開示された本発明の実施例は、本発明の技術内容を容易に説明し、本発明の理解を助けるために特定例を提示したものに過ぎず、本発明の範囲を限定しようとするものではない。すなわち本発明の技術的思想に基づく他の変形例が実施可能であるということは、本発明の属する技術分野における通常の知識を有する者に自明である。
【符号の説明】
【００６３】
１１１０    メモリ
１１０５    送受信機
１１１５    制御機
１２０５    送受信機
１２１０    制御機
【図１】
0005882341.tif 000003
【図２】
0005882341.tif 000004
【図３】
0005882341.tif 000005
【図５】
0005882341.tif 000006
【図６】
0005882341.tif 000007
【図７】
0005882341.tif 000008
【図８】
0005882341.tif 000009
【図９】
0005882341.tif 000010
【図１０】
0005882341.tif 000011
【図１１】
0005882341.tif 000012
【図１２】
0005882341.tif 000013
【図４】
0005882341.tif 000014